(57)【要約】      （修正有）【課題】ユーザによる通信開始指示を受け付けてから無線ＬＡＮ通信を開始するまでのタイムラグを減らすことができる無線通信システムを提供する。【解決手段】無線通信システムでは、ＭＦＰ２の各アンテナ３、４から送信されたＢＬＥビーコンパケットを携帯端末７が受信した際の受信信号強度を測定し、各アンテナ３、４の受信信号強度に基づいて無線通信に使用するアンテナを決定する。決定したアンテナが設定されたＢＬＥ接続要求パケットをユーザによる通信開始指示に応じて携帯端末７からＭＦＰ２に送信する。ＭＦＰ２は、ＢＬＥ接続要求パケットに設定したアンテナを用いて携帯端末７と無線通信を行う。【選択図】図１７
2019097063.tif 000002
【特許請求の範囲】
【請求項１】
携帯端末と複数のアンテナを備える情報処理装置とを備える無線通信システムであって、
各前記アンテナから送信された電波信号を前記携帯端末が受信した際の受信信号強度を測定する測定手段と、
前記携帯端末で受け付けたユーザ指示に応じて無線通信の通信設定を行うための通信接続要求を前記携帯端末から前記情報処理装置に送信する送信手段と、
前記通信設定が行われた携帯端末及び前記情報処理装置の間の前記無線通信の制御を行う無線通信制御手段とを備え、
前記通信接続要求は、各前記アンテナの受信信号強度に基づいて前記複数のアンテナの中から決定された前記無線通信に使用するアンテナを示す情報を含むことを特徴とする無線通信システム。
【請求項２】
前記測定手段は、前記ユーザ指示を受け付ける前に前記受信信号強度を測定することを特徴とする請求項１記載の無線通信システム。
【請求項３】
前記電波信号は、当該電波信号を送信したアンテナを示す情報を含むことを特徴とする請求項１又は２記載の無線通信システム。
【請求項４】
前記電波信号は、ＢＬＥ（Bluetooth Low Energy）による近距離無線通信を行うためのビーコンパケットであることを特徴とする請求項１乃至３のいずれか１項に記載の無線通信システム。
【請求項５】
前記無線通信は、前記ＢＬＥによる近距離無線通信より高速に通信を行う無線ＬＡＮ通信であることを特徴とする請求項４記載の無線通信システム。
【請求項６】
前記電波信号を送信するアンテナを切り替える切替手段を更に備え、
前記電波信号は各前記アンテナから異なるタイミングで送信されることを特徴とする請求項１乃至５のいずれか１項に記載の無線通信システム。
【請求項７】
前記無線通信に使用するアンテナを決定する決定手段を更に備え、
前記決定手段は、前記情報処理装置に設けられる全てのアンテナから送信された電波信号の受信信号強度に基づいて前記無線通信に使用するアンテナを決定することを特徴とする請求項１乃至６のいずれか１項に記載の無線通信システム。
【請求項８】
前記決定手段は、前記情報処理装置に設けられる全てのアンテナから送信された電波信号の受信信号強度であって且つ前記携帯端末におけるユーザ指示が行われる直前に受信した電波信号の受信信号強度に基づいて前記無線通信に使用するアンテナを決定することを特徴とする請求項７記載の無線通信システム。
【請求項９】
前記決定したアンテナを通知する通知手段を更に備えることを特徴とする請求項７又は８記載の無線通信システム。
【請求項１０】
電波信号を送信する複数のアンテナを備え、前記電波信号を受信した携帯端末と無線通信を行う情報処理装置であって、
前記電波信号を送信するアンテナを切り替える切替手段と、
前記携帯端末におけるユーザ指示に応じて前記携帯端末から送信された無線通信の通信設定を行うための通信接続要求を受信する受信手段と、
前記通信設定が行われた携帯端末との前記無線通信の制御を行う無線通信制御手段とを備え、
前記通信接続要求は、各前記アンテナから送信された電波信号を前記携帯端末が受信した際の受信信号強度に基づいて前記複数のアンテナの中から決定された前記無線通信に使用するアンテナを示す情報を含むことを特徴とする情報処理装置。
【請求項１１】
前記電波信号は、当該電波信号を送信したアンテナを示す情報を含むことを特徴とする請求項１０記載の情報処理装置。
【請求項１２】
前記電波信号は、ＢＬＥによる近距離無線通信を行うためのビーコンパケットであることを特徴とする請求項１０又は１１記載の情報処理装置。
【請求項１３】
前記無線通信は、前記ＢＬＥによる近距離無線通信より高速に通信を行う無線ＬＡＮ通信であることを特徴とする請求項１２記載の情報処理装置。
【請求項１４】
前記電波信号は各前記アンテナから異なるタイミングで送信されることを特徴とする請求項１０乃至１３のいずれか１項に記載の情報処理装置。
【請求項１５】
複数のアンテナを備える情報処理装置と無線通信を行う携帯端末であって、
各前記アンテナから送信された電波信号を受信した際の受信信号強度を測定する測定手段と、
前記無線通信の通信設定を行うための通信接続要求をユーザ指示に応じて前記情報処理装置に送信する送信手段と、
前記情報処理装置との前記無線通信の制御を行う無線通信制御手段とを備え、
前記通信接続要求は、各前記アンテナの受信信号強度に基づいて前記複数のアンテナの中から決定された前記無線通信に使用するアンテナを示す情報を含むことを特徴とする携帯端末。
【請求項１６】
前記測定手段は、前記ユーザ指示を受け付ける前に前記受信信号強度を測定することを特徴とする請求項１５記載の携帯端末。
【請求項１７】
前記電波信号は、当該電波信号を送信したアンテナを示す情報を含むことを特徴とする請求項１５又は１６記載の携帯端末。
【請求項１８】
前記電波信号は、ＢＬＥによる近距離無線通信を行うためのビーコンパケットであることを特徴とする請求項１５乃至１７のいずれか１項に記載の携帯端末。
【請求項１９】
前記無線通信は、前記ＢＬＥによる近距離無線通信より高速に通信を行う無線ＬＡＮ通信であることを特徴とする請求項１８記載の携帯端末。
【請求項２０】
前記無線通信に使用するアンテナを決定する決定手段を更に備え、
前記決定手段は、前記情報処理装置に設けられる全てのアンテナから送信された電波信号の受信信号強度に基づいて前記無線通信に使用するアンテナを決定することを特徴とする請求項１５乃至１９のいずれか１項に記載の携帯端末。
【請求項２１】
前記決定手段は、前記情報処理装置に設けられる全てのアンテナから送信された電波信号の受信信号強度であって且つ前記携帯端末におけるユーザ指示が行われる直前に受信した電波信号の受信信号強度に基づいて前記無線通信に使用するアンテナを決定することを特徴とする請求項２０記載の携帯端末。
【請求項２２】
前記決定したアンテナを通知する通知手段を更に備えることを特徴とする請求項２０又は２１記載の携帯端末。
【請求項２３】
携帯端末と複数のアンテナを備える情報処理装置との無線通信制御方法であって、
各前記アンテナから送信された電波信号を前記携帯端末が受信した際の受信信号強度を測定する測定ステップと、
前記携帯端末で受け付けたユーザ指示に応じて無線通信の通信設定を行うための通信接続要求を前記携帯端末から前記情報処理装置に送信する送信ステップと、
前記通信設定が行われた携帯端末及び前記情報処理装置の間の前記無線通信の制御を行う無線通信制御ステップとを有し、
前記通信接続要求は、各前記アンテナの受信信号強度に基づいて前記複数のアンテナの中から決定された前記無線通信に使用するアンテナを示す情報を含むことを特徴とする無線通信制御方法。
【請求項２４】
携帯端末と複数のアンテナを備える情報処理装置との無線通信制御方法をコンピュータに実行させるプログラムであって、
前記無線通信制御方法は、
各前記アンテナから送信された電波信号を前記携帯端末が受信した際の受信信号強度を測定する測定ステップと、
前記携帯端末で受け付けたユーザ指示に応じて無線通信の通信設定を行うための通信接続要求を前記携帯端末から前記情報処理装置に送信する送信ステップと、
前記通信設定が行われた携帯端末及び前記情報処理装置の間の前記無線通信の制御を行う無線通信制御ステップとを有し、
前記通信接続要求は、各前記アンテナの受信信号強度に基づいて前記複数のアンテナの中から決定された前記無線通信に使用するアンテナを示す情報を含むことを特徴とするプログラム。
【発明の詳細な説明】
【技術分野】
【０００１】
本発明は、無線通信システム、情報処理装置、携帯端末、無線通信制御方法、及びプログラムに関する。
【背景技術】
【０００２】
情報処理装置としてのＭＦＰが携帯端末とＷｉ−ｆｉ等による無線ＬＡＮ通信を行う無線通信システムが知られている。無線通信システムでは、ＭＦＰが携帯端末と無線ＬＡＮ通信を行う際に近距離無線通信による通信設定処理が行われる。通信設定処理では、例えば、ＭＦＰがＢＬＥ（Bluetooth（登録商標） Low Energy）による近距離無線通信（以下、「ＢＬＥ通信」という。）を行うためのＢＬＥビーコンパケットを所定の間隔で送信する。携帯端末がＢＬＥビーコンパケットを受信し、さらに、上記携帯端末においてユーザによる上記ＭＦＰとの通信開始指示を受け付けると、携帯端末及びＭＦＰ間でＢＬＥ通信が開始される。ＢＬＥ通信では、無線ＬＡＮ通信を行う際に必要となるＭＦＰのＳＳＩＤやパスワードといった無線ＬＡＮ接続情報がＭＦＰから携帯端末に送信される。携帯端末は、ＭＦＰから受信した無線ＬＡＮ接続情報を設定すると、ＭＦＰと無線ＬＡＮ通信可能になる。
【０００３】
ところで、近年では、無線ＬＡＮ通信や近距離無線通信等の無線通信による電波信号を送受信可能な複数のアンテナが設けられるＭＦＰが開発されている。各アンテナはＭＦＰにおける異なる位置に配置される。このようなＭＦＰは、複数のアンテナのうち、通信先である携帯端末との通信状態が最も良いアンテナを用いて無線通信を行う（特許文献１参照）。このようなＭＦＰは、例えば、携帯端末からＢＬＥ通信によって送信された電波信号を各アンテナで受信した際の受信信号強度に基づいて携帯端末との無線通信に用いるアンテナを決定する。
【先行技術文献】
【特許文献】
【０００４】
【特許文献１】特開２０１２−４７８９号公報
【発明の概要】
【発明が解決しようとする課題】
【０００５】
しかしながら、上述したように複数のアンテナが設けられるＭＦＰが無線ＬＡＮ通信に用いるアンテナを決定する場合、ＭＦＰ及び携帯端末の間でＢＬＥ通信が行われていることが前提である。各アンテナの受信信号強度の測定はユーザによる無線ＬＡＮ通信の通信開始指示を受け付けてから実行される。このため、ユーザが無線ＬＡＮ通信の通信開始指示を行ってからＭＦＰ及び携帯端末間で無線ＬＡＮ通信が開始されるまでに、少なくとも各アンテナの受信信号強度の測定処理の実行時間分のタイムラグが発生してしまうという問題が生じる。
【０００６】
本発明の目的は、複数のアンテナを備える情報処理装置を備える無線通信システムにおいて、ユーザによる通信開始指示を受け付けてから無線ＬＡＮ通信を開始するまでのタイムラグを減らすことができる仕組みを提供することにある。
【課題を解決するための手段】
【０００７】
上記目的を達成するために、本発明の無線通信システムは、携帯端末と複数のアンテナを備える情報処理装置とを備える無線通信システムであって、各前記アンテナから送信された電波信号を前記携帯端末が受信した際の受信信号強度を測定する測定手段と、前記携帯端末で受け付けたユーザ指示に応じて無線通信の通信設定を行うための通信接続要求を前記携帯端末から前記情報処理装置に送信する送信手段と、前記通信設定が行われた携帯端末及び前記情報処理装置の間の前記無線通信の制御を行う無線通信制御手段とを備え、前記通信接続要求は、各前記アンテナの受信信号強度に基づいて前記複数のアンテナの中から決定された前記無線通信に使用するアンテナを示す情報を含むことを特徴とする。
【発明の効果】
【０００８】
本発明によれば、複数のアンテナを備える情報処理装置を備える無線通信システムにおいて、ユーザによる通信開始指示を受け付けてから無線ＬＡＮ通信を開始するまでのタイムラグを減らすことができる。
【図面の簡単な説明】
【０００９】
【図１】本発明の実施の形態に係る無線通信システムの構成を概略的に示すネットワーク図である。
【図２】複数のアンテナを備える図１のＭＦＰの構成を概略的に示すブロック図である。
【図３】一つのアンテナを備える図１のＭＦＰの構成を概略的に示すブロック図である。
【図４】図１の携帯端末の構成を概略的に示すブロック図である。
【図５】従来の無線通信システムによって実行される無線ＬＡＮ通信設定処理の手順を示すシーケンス図である。
【図６】複数のアンテナを備える図１のＭＦＰによって実行されるＢＬＥビーコンパケット送信処理の手順を示すフローチャートである。
【図７】複数のアンテナを備える図１のＭＦＰから送信されるＢＬＥビーコンパケットの一例を示す図である。
【図８】複数のアンテナを備える図１のＭＦＰにおけるＢＬＥビーコンパケットの送信を説明するための図である。
【図９】一つのアンテナを備える図１のＭＦＰによって実行されるＢＬＥビーコンパケット送信処理の手順を示すフローチャートである。
【図１０】一つのアンテナを備える図１のＭＦＰから送信されるＢＬＥビーコンパケットの一例を示す図である。
【図１１】図１の携帯端末によって実行されるＢＬＥビーコンパケット受信処理の手順を示すフローチャートである。
【図１２】図１の携帯端末によって管理されるビーコン受信情報の一例を示す図である。
【図１３】図１の携帯端末によって実行されるＢＬＥ接続要求パケット送信処理の手順を示すフローチャートである。
【図１４】図１の携帯端末に表示される接続先選択画面の一例を示す図である。
【図１５】図１の携帯端末から送信されるＢＬＥ接続要求パケットの一例を示す図である。
【図１６】複数のアンテナを備える図１のＭＦＰによって実行される通信接続処理の手順を示すフローチャートである。
【図１７】図１の携帯端末及び複数のアンテナを備えるＭＦＰによって実行される無線ＬＡＮ通信設定処理の手順を示すシーケンス図である。
【図１８】一つのアンテナを備える図１のＭＦＰによって実行される通信接続処理の手順を示すフローチャートである。
【図１９】図１の携帯端末及び一つのアンテナを備えるＭＦＰによって実行される無線ＬＡＮ通信設定処理の手順を示すシーケンス図である。
【発明を実施するための形態】
【００１０】
以下、本発明の実施の形態を図面を参照しながら詳述する。本実施の形態では、情報処理装置としてのＭＦＰに本発明を適用した場合について説明するが、本発明はＭＦＰに限られず、例えば、無線通信機能を備える通信装置に本発明を適用してもよい。
【００１１】
図１は、本発明の実施の形態に係る無線通信システム１の構成を概略的に示すネットワーク図である。
【００１２】
図１において、無線通信システム１は、情報処理装置であるＭＦＰ２、ＭＦＰ５、及び携帯端末７を備える。
【００１３】
ＭＦＰ２及びＭＦＰ５はコピー機能、スキャン機能、及び印刷機能を備え、また、ＭＦＰ２及びＭＦＰ５は携帯端末７等と無線通信を行う。無線通信は、ＢＬＥ通信等の近距離無線通信や、当該近距離無線通信より通信範囲が広く且つ高速通信可能なＷｉ−ｆｉ等による無線ＬＡＮ通信である。なお、ＢＬＥは、Bluetooth Low Energyの略である。ＭＦＰ２は複数、例えば、２つのアンテナ３，４を備える。アンテナ３，４は互いに異なる位置、例えば、一方がＭＦＰ２の前方に設置され、他方がＭＦＰ２の後方に設置される。ＭＦＰ２はアンテナ３，４のうち通信先、例えば、携帯端末７と通信状態が最も良いアンテナを用いて携帯端末７と無線通信を行う。ＭＦＰ５はアンテナ６を備え、アンテナ６を用いて携帯端末７等と無線通信を行う。携帯端末７はＭＦＰ２やＭＦＰ５と無線通信を行う。例えば、携帯端末７は印刷処理に用いられる印刷データをＭＦＰ２に無線ＬＡＮ通信によって送信する。
【００１４】
図２は、複数のアンテナを備える図１のＭＦＰ２の構成を概略的に示すブロック図である。
【００１５】
図２において、ＭＦＰ２は、図１のアンテナ３，４の他に、ＣＰＵ８、メモリ９、記憶装置１０、操作部１２、読取部１５、印刷処理部１６、ＢＬＥ通信部１７、及び無線ＬＡＮ通信部１８（無線通信制御手段）を備える。ＭＦＰ２は、さらに、アンテナ整合部１９、アンテナ切替制御部２０、及びスイッチ２１を備える。操作部１２は表示部１３及び操作入力部１４を備える。ＣＰＵ８、メモリ９、記憶装置１０、操作部１２、読取部１５、印刷処理部１６、ＢＬＥ通信部１７、無線ＬＡＮ通信部１８、及びアンテナ切替制御部２０はシステムバス２３を介して互いに接続されている。ＢＬＥ通信部１７及び無線ＬＡＮ通信部１８はアンテナ整合部１９にも接続されている。アンテナ整合部１９及びアンテナ切替制御部２０はスイッチ２１にも接続されている。
【００１６】
ＣＰＵ８は記憶装置１０に格納されたプログラム１１を実行してＭＦＰ２の各動作を制御する。メモリ９はＣＰＵ８が使用するプログラム１１やデータ等を一時的に格納する。記憶装置１０は、読み出し及び書き込み可能なＨＤＤやフラッシュメモリ等で構成され、プログラム１１やデータを格納する。例えば、記憶装置１０は、無線ＬＡＮ通信を行う際に必要となるＭＦＰ２の無線ＬＡＮ接続情報を格納する。無線ＬＡＮ接続情報はＭＦＰ２のＳＳＩＤ及びパスワード等である。操作部１２はＭＦＰ２のユーザインターフェースであり、表示部１３及び操作入力部１４が一体化されたタッチ入力式の表示パネルである。
【００１７】
読取部１５は原稿台（不図示）に載置された原稿を読み取って画像データを生成する。印刷処理部１６は上記画像データ等に基づいて印刷処理を行う。ＢＬＥ通信部１７は携帯端末７とＢＬＥ通信を行う。無線ＬＡＮ通信部１８は携帯端末７と無線ＬＡＮ通信を行う。アンテナ整合部１９はＢＬＥ通信部１７によるＢＬＥ通信と、無線ＬＡＮ通信部１８による無線ＬＡＮ通信との電波の混合処理や上記電波の分離処理を行う。アンテナ切替制御部２０はスイッチ２１に対してアンテナ３及びアンテナ４の接続の切替制御を行う。スイッチ２１は接点２２ａ及び接点２２ｂを備え、接点２２ａにはアンテナ３が接続され、接点２２ｂにはアンテナ４が接続されている。スイッチ２１において接点２２ａが設定されると、ＭＦＰ２ではアンテナ３を用いた無線通信が行われ、スイッチ２１において接点２２ｂが設定されると、ＭＦＰ２ではアンテナ４を用いた無線通信が行われる。
【００１８】
図３は、一つのアンテナを備える図１のＭＦＰ５の構成を概略的に示すブロック図である。
【００１９】
図３において、ＭＦＰ５は、図１のアンテナ６の他に、ＣＰＵ２４、メモリ２５、記憶装置２６、操作部２８、読取部３１、印刷処理部３２、ＢＬＥ通信部３３、無線ＬＡＮ通信部３４、及びアンテナ整合部３５を備える。操作部２８は表示部２９及び操作入力部３０を備える。ＣＰＵ２４、メモリ２５、記憶装置２６、操作部２８、読取部３１、印刷処理部３２、ＢＬＥ通信部３３、及び無線ＬＡＮ通信部３４はシステムバス３６を介して互いに接続されている。ＢＬＥ通信部３３及び無線ＬＡＮ通信部３４はアンテナ整合部３５にも接続されている。
【００２０】
ＣＰＵ２４は記憶装置２６に格納されたプログラム２７を実行してＭＦＰ５の各動作を制御する。メモリ２５はＣＰＵ２４が使用するプログラム２７やデータ等を一時的に格納する。記憶装置２６は、読み出し及び書き込み可能なＨＤＤやフラッシュメモリ等で構成され、プログラム２７やデータを格納する。例えば、記憶装置２６は、無線ＬＡＮ通信を行う際に必要となるＭＦＰ５の無線ＬＡＮ接続情報を格納する。操作部２８はＭＦＰ５のユーザインターフェースであり、表示部２９及び操作入力部３０が一体化されたタッチ入力式の表示パネルである。
【００２１】
読取部３１は原稿台（不図示）に載置された原稿を読み取って画像データを生成する。印刷処理部３２は上記画像データ等に基づいて印刷処理を行う。ＢＬＥ通信部３３は携帯端末７とＢＬＥ通信を行う。無線ＬＡＮ通信部３４は携帯端末７と無線ＬＡＮ通信を行う。アンテナ整合部３５はＢＬＥ通信部３３によるＢＬＥ通信と、無線ＬＡＮ通信部３４による無線ＬＡＮ通信との電波の混合処理や上記電波の分離処理を行う。
【００２２】
図４は、図１の携帯端末７の構成を概略的に示すブロック図である。
【００２３】
図４において、携帯端末７は、ＣＰＵ３７、メモリ３８、記憶装置３９、操作部４１、ＢＬＥ通信部４４、無線ＬＡＮ通信部４５（無線通信制御手段）、アンテナ整合部４６、及びアンテナ４７を備える。操作部４１は表示部４２及び操作入力部４３を備える。ＣＰＵ３７、メモリ３８、記憶装置３９、操作部４１、ＢＬＥ通信部４４、及び無線ＬＡＮ通信部４５はシステムバス４８を介して互いに接続されている。ＢＬＥ通信部４４及び無線ＬＡＮ通信部４５はアンテナ整合部４６にも接続されている。アンテナ整合部４６はアンテナ４７にも接続されている。
【００２４】
ＣＰＵ３７は記憶装置３９に格納されたプログラム４０を実行して携帯端末７の各動作を制御する。メモリ３８はＣＰＵ３７が使用するプログラムやデータ等を一時的に格納する。記憶装置３９は、読み出し及び書き込み可能なＨＤＤやフラッシュメモリ等で構成され、プログラム４０やデータを格納する。操作部４１は携帯端末７のユーザインターフェースであり、表示部４２及び操作入力部４３が一体化されたタッチ入力式の表示パネルである。
【００２５】
ＢＬＥ通信部４４はＭＦＰ２やＭＦＰ５とＢＬＥ通信を行う。無線ＬＡＮ通信部４５はＭＦＰ２やＭＦＰ５と無線ＬＡＮ通信を行う。アンテナ整合部４６はＢＬＥ通信部４４によるＢＬＥ通信と、無線ＬＡＮ通信部４５による無線ＬＡＮ通信との電波の混合処理や上記電波の分離処理を行う。アンテナ４７は無線通信の電波信号の送受信を行う。なお、本実施の形態では、ＢＬＥ通信及び無線ＬＡＮ通信の何れの無線通信においても２．４ＧＨｚ帯の周波数帯が使用され、アンテナ３，４，６，４７は２．４ＧＨｚ帯の無線通信に対応していることとする。
【００２６】
図５は、従来の無線通信システムにおける無線ＬＡＮ通信設定処理の手順を示すシーケンス図である。
【００２７】
図５の処理は、携帯端末がＭＦＰと無線ＬＡＮ通信を行う際に実行される。以下では、ＭＦＰがペリフェラルとして動作してＢＬＥ通信を行うためのＢＬＥビーコンパケット（電波信号）を送信し、携帯端末７がセントラルとして動作してビーコン信号を受信することとする。
【００２８】
図５において、まず、ＭＦＰはＢＬＥビーコンパケットを所定の間隔で送信する（ステップＳ１０１）。ＢＬＥビーコンパケットはＭＦＰの属性情報や機種情報といったＭＦＰ関連情報を含む。ＢＬＥビーコンパケットを受信した携帯端末は、ＢＬＥビーコンパケットに含まれるＭＦＰ関連情報を取得し、ＢＬＥビーコンパケットを送信したＭＦＰ（以下、「ビーコン送信ＭＦＰ」という。）を特定する。その後、携帯端末においてユーザによるビーコン送信ＭＦＰとの通信開始指示を受け付けると、ビーコン送信ＭＦＰに対してＢＬＥ接続要求パケットを送信する（ステップＳ１０２）。
【００２９】
ＢＬＥ接続要求パケットを受信したビーコン送信ＭＦＰは、携帯端末とＢＬＥ通信によってデータを送受信する方法や形式等の通信仕様を決定するＢＬＥ  ＧＡＴＴ通信を行う（ステップＳ１０３）。その後、ビーコン送信ＭＦＰは、ＢＬＥ  ＧＡＴＴ通信において決定された通信仕様に従って携帯端末とＢＬＥ通信を開始し、ＢＬＥ通信により、ビーコン送信ＭＦＰの無線ＬＡＮ接続情報を携帯端末７に送信する。また、例えば、ビーコン送信ＭＦＰがＭＦＰ２のように複数のアンテナを備える場合、ビーコン送信ＭＦＰは、複数のアンテナの中から上記携帯端末との無線ＬＡＮ通信に用いるアンテナを決定するアンテナ決定処理を行う。アンテナ決定処理では、ビーコン送信ＭＦＰが、携帯端末から送信されたＢＬＥ接続要求パケット等を各アンテナで受信した際の受信信号強度を測定する。ビーコン送信ＭＦＰは各アンテナの受信信号強度に基づいて上記携帯端末との通信状態が最も良いアンテナを上記携帯端末との無線ＬＡＮ通信に用いるアンテナに決定する。
【００３０】
次いで、携帯端末は、ビーコン送信ＭＦＰから受信した無線ＬＡＮ接続情報を設定すると、ビーコン送信ＭＦＰと無線ＬＡＮ通信可能となる。
【００３１】
ここで、上述したようにビーコン送信ＭＦＰが無線通信に使用するアンテナを決定する場合、ビーコン送信ＭＦＰ及び携帯端末の間でＢＬＥ通信が行われていることが前提である。各アンテナの受信信号強度の測定はユーザによる無線ＬＡＮ通信の通信開始指示を受け付けてから実行される。このため、ユーザが無線ＬＡＮ通信の通信開始指示を行ってからビーコン送信ＭＦＰ及び携帯端末間で無線ＬＡＮ通信が開始されるまでに、少なくとも各アンテナの受信信号強度の測定処理の実行時間分のタイムラグが発生してしまう。
【００３２】
これに対応して、本実施の形態では、携帯端末７が、各アンテナ３，４から送信されたＢＬＥビーコンパケットを受信した際の受信信号強度を測定し、各アンテナ３，４の受信信号強度に基づいて無線通信に使用するアンテナを決定する。さらに、携帯端末７は、決定したアンテナを設定したＢＬＥ接続要求パケットをユーザによる通信開始指示に応じてＭＦＰ２に送信する。
【００３３】
図６は、複数のアンテナを備える図１のＭＦＰ２によって実行されるＢＬＥビーコンパケット送信処理の手順を示すフローチャートである。
【００３４】
図６の処理は、ＭＦＰ２のＣＰＵ８が記憶装置１０に格納されたプログラム１１を実行することによって行われる。
【００３５】
図６において、まず、ＣＰＵ８はアンテナ切替制御部２０を制御してスイッチ２１を接点２２ａに設定する（ステップＳ２０１）。次いで、ＣＰＵ８は図７（ａ）のＢＬＥビーコンパケット７０１を生成する。ＢＬＥビーコンパケット７０１には、ＭＦＰ２のベンダーＩＤ、ＭＡＣアドレス、ＭＦＰ２の名称、アンテナ切替機能を搭載している旨を示す情報、及び使用アンテナ番号が含まれる。使用アンテナ番号にはＢＬＥビーコンパケット７０１を送信するアンテナを示す設定値が設定される。ＣＰＵ８は使用アンテナ番号にアンテナ３を設定する（ステップＳ２０２）。次いで、ＣＰＵ８はＢＬＥ通信部１７を制御してアンテナ３からＢＬＥビーコンパケット７０１を送信する（ステップＳ２０３）。次いで、ＣＰＵ８はアンテナ切替制御部２０によりスイッチ２１の切り替え制御を行う。スイッチ２１の切り替えは、所定の周期で状態変化する図８の制御信号８０１に基づいて制御される。制御信号８０１がＨｉｇｈレベルからＬｏｗレベルに切り替わると、ＣＰＵ８はスイッチ２１を接点２２ｂに設定する（ステップＳ２０４）。また、ＣＰＵ８はＢＬＥビーコンパケット７０１と同じ構成の図７（ｂ）のＢＬＥビーコンパケット７０２を生成し、ＢＬＥビーコンパケット７０２の使用アンテナ番号にアンテナ４を設定する（ステップＳ２０５）。次いで、ＣＰＵ８はＢＬＥ通信部１７を制御してアンテナ４からＢＬＥビーコンパケット７０２を送信する（ステップＳ２０６）。すなわち、本実施の形態では、アンテナ３，４から異なるタイミングでＢＬＥビーコンパケット７０１，７０２が送信される。その後、制御信号８０１がＬｏｗレベルからＨｉｇｈレベルに切り替わると、ＣＰＵ８はステップＳ２０１の処理に戻る。ＣＰＵ８は携帯端末７等からＢＬＥ接続要求パケットを受信するまで図６の処理を繰り返し実行する。このようにして、本実施の形態では、ＭＦＰ２は、異なる使用アンテナ番号が設定されたＢＬＥビーコンパケット７０１，７０２を、図８に示すように、所定の間隔で交互に送信する。
【００３６】
図９は、一つのアンテナを備える図１のＭＦＰ５によって実行されるＢＬＥビーコンパケット送信処理の手順を示すフローチャートである。
【００３７】
図９の処理は、ＭＦＰ５のＣＰＵ２４が記憶装置２６に格納されたプログラム２７を実行することによって行われる。
【００３８】
図９において、まず、ＣＰＵ２４はＢＬＥ通信部３３を制御してアンテナ６から図１０のＢＬＥビーコンパケット１００１を送信する（ステップＳ３０１）。ＢＬＥビーコンパケット１００１には、ＭＦＰ５のベンダーＩＤ、ＭＡＣアドレス、ＭＦＰ５の名称、及びアンテナ切替機能を搭載していない旨を示す情報が含まれる。ＣＰＵ２４は携帯端末７等からＢＬＥ接続要求パケットを受信するまでＢＬＥビーコンパケット１００１を送信し続ける。
【００３９】
図１１は、図１の携帯端末７によって実行されるＢＬＥビーコンパケット受信処理の手順を示すフローチャートである。
【００４０】
図１１の処理は、携帯端末７のＣＰＵ３７が記憶装置３９に格納されたプログラム４０を実行することによって行われる。
【００４１】
図１１において、ＣＰＵ３７はＭＦＰ２やＭＦＰ５からＢＬＥビーコンパケットを受信すると（ステップＳ４０１でＹＥＳ）、ＢＬＥ通信部４４を制御して、受信したＢＬＥビーコンパケットの受信信号強度を測定する（ステップＳ４０２）。本実施形態では、受信信号強度としてReceived Signal Strength Indication（ＲＳＳＩ）が用いられ、その強度はｄＢｍ値で表される。次いで、ＣＰＵ３７は受信したＢＬＥビーコンパケットから装置名称を取得し（ステップＳ４０３）、上記ＢＬＥビーコンパケットの送信元を特定する。次いで、ＣＰＵ３７は上記送信元がアンテナ切替機能を搭載しているか否かを判別する（ステップＳ４０４）。
【００４２】
ステップＳ４０４の判別の結果、上記送信元がアンテナ切替機能を搭載しているとき、ＣＰＵ３７は受信したＢＬＥビーコンパケットから使用アンテナ番号を取得し（ステップＳ４０５）、図１２（ａ）のビーコン受信情報１２０１を生成する。ビーコン受信情報１２０１は、ＩＤ１２０２、アンテナ切替機能１２０３、及び受信信号強度１２０４を含む。ＩＤ１２０２には上記送信元の名称が設定される。アンテナ切替機能１２０３には上記送信元がアンテナ切替機能を搭載しているか否かを示す情報が設定される。受信信号強度１２０４にはＢＬＥビーコンパケットを受信した際の受信信号強度が設定される。次いで、ＣＰＵ３７は、ビーコン受信情報１２０１を記憶装置３９に格納し（ステップＳ４０６）、ステップＳ４０１の処理に戻る。本実施の形態では、例えば、上記送信元がＭＦＰ２である場合、ＭＦＰ２に設けられる全てのアンテナ３，４から送信されたＢＬＥビーコンパケット７０１，７０２を受信した際の各受信信号強度が受信信号強度１２０４に設定される。
【００４３】
ステップＳ４０４の判別の結果、上記送信元がアンテナ切替機能を搭載していないとき、ＣＰＵ３７は図１２（ｂ）のビーコン受信情報１２０５を生成する。ビーコン受信情報１２０５はＩＤ１２０２及びアンテナ切替機能１２０３のみを含む。次いで、ＣＰＵ３７はビーコン受信情報１２０５を記憶装置３９に格納し（ステップＳ４０７）、ステップＳ４０１の処理に戻る。
【００４４】
図１３は、図１の携帯端末７によって実行されるＢＬＥ接続要求パケット送信処理の手順を示すフローチャートである。
【００４５】
図１３の処理は、携帯端末７のＣＰＵ３７が記憶装置３９に格納されたプログラム４０を実行することによって行われ、図１１の処理によってビーコン受信情報１２０１，１２０５が携帯端末７の記憶装置３９に格納された際に実行される。ここでは、ＭＦＰ２から受信したＢＬＥビーコンパケット７０１，７０２に対応するビーコン受信情報１２０１、及びＭＦＰ５から受信したＢＬＥビーコンパケット１００１に対応するビーコン受信情報１２０５が記憶装置３９に格納されたことを前提とする。
【００４６】
図１３において、ＣＰＵ３７は図１４の接続先選択画面１４００を操作部４１に表示する（ステップＳ５０１）。接続先選択画面１４００は通信開始指示を行うための操作画面である。接続先選択画面１４００には携帯端末７が受信したＢＬＥビーコンパケットの送信元であるＭＦＰ２，５を示す選択ボタン１４０１，１４０２が表示される。ユーザは、ＭＦＰ２との通信開始指示を行う際に選択ボタン１４０１を選択し、また、ＭＦＰ５との通信開始指示を行う際に選択ボタン１４０２を選択する。接続先選択画面１４００においてユーザ操作が検知されると、ＣＰＵ３７は接続先選択画面１４００において選択ボタン１４０１、つまり、無線ＬＡＮ通信の通信相手にＭＦＰ２が選択されたか否かを判別する（ステップＳ５０２）。
【００４７】
ステップＳ５０２の判別の結果、無線ＬＡＮ通信の通信相手にＭＦＰ２が選択されたとき、ＣＰＵ３７はＭＦＰ２のビーコン受信情報１２０１を読み出す（ステップＳ５０３）。次いで、ＣＰＵ３７はビーコン受信情報１２０１に基づいてＭＦＰ２に設けられるアンテナのうち受信信号強度が最大であるアンテナがアンテナ３であるかを判別する（ステップＳ５０４）。
【００４８】
ステップＳ５０４の判別の結果、受信信号強度が最大であるアンテナがアンテナ３であるとき、ＣＰＵ３７は図１５（ａ）のＢＬＥ接続要求パケット１５０１（通信接続要求）を生成する。ＢＬＥ接続要求パケット１５０１には、携帯端末７のベンダーＩＤ、ＭＡＣアドレス、接続先選択画面１４００において選択されたＭＦＰ２の名称、ＭＦＰ２がアンテナ切替機能を搭載することを示す情報、及びアンテナ指定番号が含まれる。ＣＰＵ３７はＢＬＥ接続要求パケット１５０１のアンテナ指定番号にアンテナ３を設定する（ステップＳ５０５）。次いで、ＣＰＵ３７は後述するステップＳ５０８の処理を行う。
【００４９】
ステップＳ５０４の判別の結果、受信信号強度が最大であるアンテナがアンテナ３でないとき、ＣＰＵ３７は受信信号強度が最大であるアンテナがアンテナ４であるか否かを判別する（ステップＳ５０６）。
【００５０】
ステップＳ５０６の判別の結果、受信信号強度が最大であるアンテナがアンテナ４であるとき、ＣＰＵ３７はＢＬＥ接続要求パケット１５０１を生成する。そして、ＢＬＥ接続要求パケット１５０１のアンテナ指定番号にアンテナ４を設定する（ステップＳ５０７）。次いで、ＣＰＵ３７はＢＬＥ接続要求パケット１５０１を通信相手であるＭＦＰ２に送信する（ステップＳ５０８）。ＭＦＰ２は、ＢＬＥ接続要求パケット１５０１を受信すると、携帯端末７とＢＬＥ  ＧＡＴＴ通信を行い、ＢＬＥ  ＧＡＴＴ通信によって決定された通信仕様に基づいてＢＬＥ通信を開始する。ＭＦＰ２はＢＬＥ通信により、携帯端末７に無線ＬＡＮ接続情報を送信する。
【００５１】
次いで、ＣＰＵ３７は、ＢＬＥ通信により、通信相手から無線ＬＡＮ接続情報を受信する（ステップＳ５０９）。次いで、ＣＰＵ３７は無線ＬＡＮ通信部４５を制御して、通信相手に対して無線ＬＡＮ通信要求を送信し、通信相手との通信をＢＬＥ通信から無線ＬＡＮ通信に切り替えるハンドオーバーを行う（ステップＳ５１０）。次いで、ＣＰＵ３７は通信相手と無線ＬＡＮ通信を行う（ステップＳ５１１）。次いで、ＣＰＵ３７は通信相手との無線ＬＡＮ通信を終了する否かを判別する（ステップＳ５１２）。
【００５２】
ステップＳ５１２の判別の結果、通信相手との無線ＬＡＮ通信を終了しないとき、ＣＰＵ３７はステップＳ５１１の処理に戻る。
【００５３】
ステップＳ５０２の判別の結果、無線ＬＡＮ通信の通信相手にＭＦＰ２が選択されないとき、ＣＰＵ３７は接続先選択画面１４００において選択ボタン１４０２、つまり無線ＬＡＮ通信の通信相手にＭＦＰ５が選択されたか否かを判別する（ステップＳ５１３）。
【００５４】
ステップＳ５１３の判別の結果、無線ＬＡＮ通信の通信相手にＭＦＰ５が選択されたとき、ＣＰＵ３７は図１５（ｂ）のＢＬＥ接続要求パケット１５０２（通信接続要求）を生成する。ＢＬＥ接続要求パケット１５０２には、携帯端末７のベンダーＩＤ、ＭＡＣアドレス、接続先選択画面１４００において選択されたＭＦＰ５の名称、及びＭＦＰ５がアンテナ切替機能を搭載しないことを示す情報が含まれる。次いで、ＣＰＵ３７はＢＬＥ接続要求パケット１５０２を通信相手であるＭＦＰ５に送信し（ステップＳ５１４）、ステップＳ５０９以降の処理を行う。
【００５５】
ステップＳ５０６の判別の結果、受信信号強度が最大であるアンテナがアンテナ４でないとき、又はステップＳ５１２の判別の結果、無線ＬＡＮ通信を終了するとき、ＣＰＵ３７は本処理を終了する。また、ステップＳ５１３の判別の結果、無線ＬＡＮ通信の通信相手にＭＦＰ５が選択されないとき、ＣＰＵ３７は本処理を終了する。
【００５６】
次に、携帯端末７からＢＬＥ接続要求パケットを受信した際にＭＦＰ２，５によって実行される通信接続処理について説明する。
【００５７】
先に、ＭＦＰ２による通信接続処理について説明する。
【００５８】
図１６は、複数のアンテナを備える図１のＭＦＰ２によって実行される通信接続処理の手順を示すフローチャートである。
【００５９】
図１６の処理は、ＭＦＰ２のＣＰＵ８が記憶装置１０に格納されたプログラム１１を実行することによって行われ、携帯端末７からＢＬＥ接続要求パケット１５０１，１５０２等を受信した際に実行される。図１６の処理では、図６の処理におけるＢＬＥビーコンパケット７０１，７０２が交互に送信されていることを前提とする。
【００６０】
図１６において、ＣＰＵ８は、携帯端末７からＢＬＥ接続要求パケット１５０１，１５０２の何れかを受信すると、受信したＢＬＥ接続要求パケットの内容を確認する（ステップＳ６０１）。次いで、ＣＰＵ８は受信したＢＬＥ接続要求パケットがＭＦＰ２に対するＢＬＥ接続要求であるか否かを判別する（ステップＳ６０２）。
【００６１】
ステップＳ６０２の判別の結果、ＭＦＰ２に対するＢＬＥ接続要求であるとき、ＣＰＵ８はＢＬＥビーコンパケット７０１，７０２の送信を停止する（ステップＳ６０３）。次いで、ＣＰＵ８は受信したＢＬＥ接続要求パケットのアンテナ指定番号の設定値を確認し（ステップＳ６０４）、上記アンテナ指定番号の設定値がアンテナ３であるか否かを判別する（ステップＳ６０５）。
【００６２】
ステップＳ６０５の判別の結果、上記アンテナ指定番号の設定値がアンテナ３であるとき、ＣＰＵ８はスイッチ２１を接点２２ａに設定して、アンテナ３に接続する（ステップＳ６０６）。次いで、ＣＰＵ８は後述するステップＳ６０９の処理を行う。
【００６３】
ステップＳ６０５の判別の結果、上記アンテナ指定番号の設定値がアンテナ３でないとき、ＣＰＵ８は上記アンテナ指定番号の設定値がアンテナ４であるか否かを判別する（ステップＳ６０７）。
【００６４】
ステップＳ６０７の判別の結果、上記アンテナ指定番号の設定値がアンテナ４であるとき、ＣＰＵ８はスイッチ２１を接点２２ｂに設定して、アンテナ４に接続する（ステップＳ６０８）。次いで、ＣＰＵ８は無線ＬＡＮ接続情報を記憶装置１０から読み出し、携帯端末７とＢＬＥ  ＧＡＴＴ通信を開始し、上記無線ＬＡＮ接続情報をＢＬＥ通信によって携帯端末７に送信する（ステップＳ６０９）。次いで、ＣＰＵ８はＢＬＥ通信によって携帯端末７から無線ＬＡＮ通信要求を受信すると、携帯端末７との通信をＢＬＥ通信から無線ＬＡＮ通信に切り替えるハンドオーバーを行い（ステップＳ６１０）、携帯端末７と無線ＬＡＮ通信を行う（ステップＳ６１１）。次いで、ＣＰＵ８は携帯端末７との無線ＬＡＮ通信を終了する否かを判別する（ステップＳ６１２）。
【００６５】
ステップＳ６１２の判別の結果、携帯端末７との無線ＬＡＮ通信を終了しないとき、ＣＰＵ８はステップＳ６１１の処理に戻る。
【００６６】
ステップＳ６０２の判別の結果、ＭＦＰ２に対するＢＬＥ接続要求でないとき、又は、ステップＳ６０７の判別の結果、上記アンテナ指定番号の設定値がアンテナ４でないとき、ＣＰＵ８は本処理を終了する。また、ステップＳ６１２の判別の結果、携帯端末７との無線ＬＡＮ通信を終了するとき、ＣＰＵ８は本処理を終了する。
【００６７】
図１７は、図１の携帯端末７及び複数のアンテナを備えるＭＦＰ２によって実行される無線ＬＡＮ通信設定処理の手順を示すシーケンス図である。
【００６８】
図１７において、ＭＦＰ２はＢＬＥビーコンパケット７０１，７０２の送信を交互に行う（ステップＳ７０１）（例えば、図６のステップＳ２０３、Ｓ２０６参照）。ＢＬＥビーコンパケット７０１はアンテナ３から送信され、ＢＬＥビーコンパケット７０２はアンテナ４から送信される。
【００６９】
携帯端末７はＭＦＰ２の各アンテナ３，４からＢＬＥビーコンパケット７０１，７０２を受信した際の受信信号強度を測定する。すなわち、本実施の形態では、接続先選択画面１４００においてユーザが無線ＬＡＮ通信の通信相手にＭＦＰ２を選択する前に各アンテナ３，４の受信信号強度が測定される。携帯端末７は、接続先選択画面１４００においてＭＦＰ２がユーザに選択されると、各アンテナ３，４の受信信号強度に基づいて無線通信に使用するアンテナを決定し、決定したアンテナをＢＬＥ接続要求パケットに設定する。具体的に、携帯端末７は、ＭＦＰ２に設けられる全てのアンテナ３，４の中から上記受信信号強度が最大であるアンテナ３をＢＬＥ接続要求パケット１５０１のアンテナ指定番号に設定する。次いで、携帯端末７はＢＬＥ接続要求パケット１５０１をＭＦＰ２に送信する（ステップＳ７０２）（例えば、図１３のステップＳ５０８参照）。
【００７０】
ＢＬＥ接続要求パケット１５０１を受信したＭＦＰ２は、アンテナ３を用いて携帯端末７とＢＬＥ  ＧＡＴＴ通信を開始し、携帯端末７とＢＬＥ通信を行う。その後、ＭＦＰ２はハンドオーバーを行い、携帯端末７と無線ＬＡＮ通信を行う（ステップＳ７０３）（例えば、図１６のステップＳ６１０，Ｓ６１１参照）。
【００７１】
上述した実施の形態によれば、携帯端末７が、各アンテナ３，４から送信されたＢＬＥビーコンパケット７０１，７０２を受信した際の受信信号強度を測定し、各アンテナ３，４の受信信号強度に基づいて無線通信に使用するアンテナを決定する。さらに、携帯端末７は、接続先選択画面１４００においてＭＦＰ２を選択するといったユーザによる通信開始指示を受け付けると、決定したアンテナを設定したＢＬＥ接続要求パケット１５０１をＭＦＰ２に送信する。すなわち、従来のように、ユーザによる通信開始指示を受け付けてから各アンテナ３，４の受信信号強度の測定が行われることはない。これにより、ユーザ指示を受け付けてから無線ＬＡＮ通信を開始するまでのタイムラグを減らすことができる。
【００７２】
また、上述した実施の形態では、接続先選択画面１４００においてユーザが無線ＬＡＮ通信の通信相手にＭＦＰ２を選択する前に各アンテナ３，４の受信信号強度が測定される。これにより、ユーザによる通信開始指示を受け付けてから各アンテナ３，４の受信信号強度の測定を行う場合より、ユーザ指示を受け付けてから無線ＬＡＮ通信を開始するまでのタイムラグを確実に減らすことができる。
【００７３】
さらに、上述した実施の形態では、電波信号はＢＬＥビーコンパケット７０１，７０２であるので、ＭＦＰ２及び携帯端末７の間でＢＬＥ通信が開始される前に各アンテナ３，４の受信信号強度を測定することができる。
【００７４】
上述した実施の形態では、ＢＬＥビーコンパケット７０１，７０２は該ＢＬＥビーコンパケット７０１，７０２を送信したアンテナを示す情報を含む。これにより、携帯端末７が受信した各ＢＬＥビーコンパケット７０１，７０２の受信信号強度を測定する際に、携帯端末７が受信した各ＢＬＥビーコンパケット７０１，７０２を送信したアンテナを容易に把握することができる。
【００７５】
また、上述した実施の形態では、ＢＬＥビーコンパケットは各アンテナ３，４から異なるタイミングで送信される。これにより、各アンテナ３，４から送信される各ＢＬＥビーコンパケットが互いを妨害して各ＢＬＥビーコンパケットの受信信号強度が正確に測定できなくなる事態を回避することができる。
【００７６】
さらに、上述した実施の形態では、ＭＦＰ２に設けられる全てのアンテナ３，４から送信されたＢＬＥビーコンパケットの受信信号強度に基づいて無線通信に使用するアンテナが決定される。これにより、ＭＦＰ２に設けられる全てのアンテナ３，４の中から最も通信状態の良いアンテナを選択することができる。
【００７７】
次に、ＭＦＰ５による通信接続処理について説明する。
【００７８】
図１８は、一つのアンテナを備える図１のＭＦＰ５によって実行される通信接続処理の手順を示すフローチャートである。
【００７９】
図１８の処理は、ＭＦＰ５のＣＰＵ２４が記憶装置２６に格納されたプログラム２７を実行することによって行われ、携帯端末７からＢＬＥ接続要求パケット１５０１，１５０２等を受信した際に実行される。図１８の処理では、図９の処理におけるＢＬＥビーコンパケット１００１が送信されていることを前提とする。
【００８０】
図１８において、ＣＰＵ２４は、携帯端末７からＢＬＥ接続要求パケット１５０１，１５０２の何れかを受信すると、受信したＢＬＥ接続要求パケットの内容を確認する（ステップＳ８０１）。次いで、ＣＰＵ２４は受信したＢＬＥ接続要求パケットがＭＦＰ５に対するＢＬＥ接続要求であるか否かを判別する（ステップＳ８０２）。
【００８１】
ステップＳ８０２の判別の結果、ＭＦＰ５に対するＢＬＥ接続要求であるとき、ＣＰＵ２４はＢＬＥビーコンパケット１００１の送信を停止する（ステップＳ８０３）。次いで、ＣＰＵ２４は無線ＬＡＮ接続情報を記憶装置２６から読み出し、上記無線ＬＡＮ接続情報をＢＬＥ通信によって携帯端末７に送信する（ステップＳ８０４）。次いで、ＣＰＵ２４は携帯端末７から無線ＬＡＮ通信要求を受信すると、携帯端末７との通信をＢＬＥ通信から無線ＬＡＮ通信に切り替えるハンドオーバーを行い（ステップＳ８０５）、携帯端末７と無線ＬＡＮ通信を行う（ステップＳ８０６）。次いで、ＣＰＵ８は携帯端末７との無線ＬＡＮ通信を終了する否かを判別する（ステップＳ８０７）。
【００８２】
ステップＳ８０７の判別の結果、携帯端末７との無線ＬＡＮ通信を終了しないとき、ＣＰＵ８はステップＳ８０６の処理に戻る。
【００８３】
ステップＳ８０２の判別の結果、ＭＦＰ５に対するＢＬＥ接続要求でないとき、又はステップＳ８０７の判別の結果、携帯端末７との無線ＬＡＮ通信を終了するとき、ＣＰＵ２４は本処理を終了する。
【００８４】
図１９は、図１の携帯端末７及び一つのアンテナを備えるＭＦＰ５によって実行される無線ＬＡＮ通信設定処理の手順を示すシーケンス図である。
【００８５】
図１９において、ＭＦＰ２はアンテナ６からＢＬＥビーコンパケット１００１を送信する（ステップＳ９０１）（例えば、図９のステップＳ３０１参照）。携帯端末７は、接続先選択画面１４００においてＭＦＰ５がユーザによって選択されると、ＢＬＥ接続要求パケット１５０２をＭＦＰ５に送信する（ステップＳ９０２）（例えば、図１３のステップＳ５１４参照）。ＢＬＥ接続要求パケット１５０２を受信したＭＦＰ５は、アンテナ６を用いて携帯端末７とＢＬＥ通信によるハンドオーバーを行い、携帯端末７と無線ＬＡＮ通信を行う（ステップＳ９０３）（例えば、図１６のステップＳ８０５，Ｓ８０６参照）。
【００８６】
以上、本発明について、上述した実施の形態を用いて説明したが、本発明は上述した実施の形態に限定されるものではない。例えば、ＭＦＰ２の全てのアンテナ３，４から送信されたＢＬＥビーコンパケットの受信信号強度で且つ携帯端末７におけるユーザ指示が行われる直前に受信したＢＬＥビーコンパケットの受信信号強度に基づき無線通信に使用するアンテナが決定されても良い。これにより、ＭＦＰ２において、アンテナ３，４のうち、ユーザ指示が行われる直前のＭＦＰ２及び携帯端末７の位置関係に適したアンテナを無線通信に使用するアンテナに決定することができる。その結果、ＭＦＰ２及び携帯端末７の間で通信状態が安定した無線通信を確実に行うことができる。
【００８７】
また、上述した実施の形態では、無線通信に使用するアンテナを通知しても良い。具体的に、携帯端末７が無線通信に使用するアンテナを操作部４１に表示する。これにより、現在のＭＦＰ２及び携帯端末７の位置関係に適したアンテナをユーザが容易に把握することができる。
【００８８】
本発明は、上述の実施の形態の１以上の機能を実現するプログラムをネットワーク又は記憶媒体を介してシステム又は装置に供給し、該システム又は装置のコンピュータにおける１つ以上のプロセッサがプログラムを読み出して実行する処理でも実現可能である。また、本発明は、１以上の機能を実現する回路（例えば、ＡＳＩＣ）によっても実現可能である。
【符号の説明】
【００８９】
１  無線通信システム
２  ＭＦＰ
３，４  アンテナ
７  携帯端末
８，３７  ＣＰＵ
４１  操作部
【図１】
2019097063.tif 000003
【図２】
2019097063.tif 000004
【図３】
2019097063.tif 000005
【図４】
2019097063.tif 000006
【図５】
2019097063.tif 000007
【図６】
2019097063.tif 000008
【図７】
2019097063.tif 000009
【図８】
2019097063.tif 000010
【図９】
2019097063.tif 000011
【図１０】
2019097063.tif 000012
【図１１】
2019097063.tif 000013
【図１２】
2019097063.tif 000014
【図１３】
2019097063.tif 000015
【図１４】
2019097063.tif 000016
【図１５】
2019097063.tif 000017
【図１６】
2019097063.tif 000018
【図１７】
2019097063.tif 000019
【図１８】
2019097063.tif 000020
【図１９】
2019097063.tif 000021